(57)【要約】【課題】再生機器における現コンテンツの読出し位置に応じて適切なコンテンツの頭出しを行うよう制御する。【解決手段】コマンド発行部１１１０は、操作受信部１１２０から受けた操作内容に従って現コンテンツの頭出し（ＶＩＳＳサーチ）を指示するコマンドをインタフェース３０００経由で再生機器２０００に発行する。状態判別部１１３０は、コマンド発行の際の再生機器２０００におけるテープ記録媒体の状態として、現コンテンツの先頭から所定区間内にあるか否かを判別する。コマンド発行部１１１０は、状態判別部１１３０による判別結果に応じて、さらに一つ前のコンテンツの頭出しを指示するコマンドをインタフェース３０００経由で再生機器２０００に発行する。【選択図】　　　図２
2004095086.tif 000002
【特許請求の範囲】
【請求項１】
記録媒体上に連続して記録された複数のコンテンツを再生するための再生機器を制御する再生機器制御装置であって、
前記再生機器における前記記録媒体上の読取り位置を判別して、前記複数のコンテンツのうち前記読取り位置にあるコンテンツの先頭から所定区間内に前記読取り位置があれば前記読取り位置にあるコンテンツの直前に記録されたコンテンツの先頭に前記記録媒体を位置付け、前記読取り位置にあるコンテンツの先頭から前記所定区間内に前記読取り位置がなければ前記読取り位置にあるコンテンツの先頭に前記記録媒体を位置付けるよう前記再生機器を制御する
ことを特徴とする再生機器制御装置。
【請求項２】
テープ記録媒体上に連続して記録された複数のコンテンツを再生するための再生機器を制御する再生機器制御装置であって、
前記再生機器における前記テープ記録媒体上の読取り位置から前記テープ記録媒体の巻き戻し操作を行い、所定時間内に前記複数のコンテンツのうち前記読取り位置にあるコンテンツの先頭に位置付けられた場合には前記読取り位置にあるコンテンツの直前に記録されたコンテンツの先頭に前記テープ記録媒体を位置付け、前記所定時間内に前記複数のコンテンツのうち前記読取り位置にあるコンテンツの先頭に位置付けられなかった場合には前記読取り位置にあるコンテンツの先頭に前記テープ記録媒体を位置付けるよう前記再生機器を制御する
ことを特徴とする再生機器制御装置。
【請求項３】
記録媒体上に連続して記録された複数のコンテンツを再生するための再生機器を制御する再生機器制御装置であって、
前記再生機器における前記記録媒体上の読取り位置を判別する状態判別手段と、
前記複数のコンテンツのうち前記読取り位置にあるコンテンツの先頭から所定区間内に前記読取り位置があれば前記読取り位置にあるコンテンツの直前に記録されたコンテンツの先頭に前記記録媒体を位置付けるコマンドを前記再生機器に発行し、前記読取り位置にあるコンテンツの先頭から前記所定区間内に前記読取り位置がなければ前記読取り位置にあるコンテンツの先頭に前記記録媒体を位置付けるコマンドを前記再生機器に発行するコマンド発行手段と
を備えることを特徴とする再生機器制御装置。
【請求項４】
テープ記録媒体上に連続して記録された複数のコンテンツを再生するための再生機器を制御する再生機器制御装置であって、
前記再生機器における前記テープ記録媒体上の読取り位置にあるコンテンツの先頭に前記テープ記録媒体を位置付ける第１のコマンドを前記再生機器に発行するコマンド発行手段と、
前記第１のコマンドの発行から前記読取り位置にあるコンテンツの先頭に位置付けられるまでに要した時間が所定時間内であるか否かを示す状態判別手段とを備え、
前記コマンド発行手段は、前記読取り位置にあるコンテンツの先頭に位置付けられるまでに要した時間が前記所定時間内であると前記状態判別手段により示された場合には前記読取り位置にあるコンテンツの直前に記録されたコンテンツの先頭に前記テープ記録媒体を位置付ける第２のコマンドを前記再生機器にさらに発行する
ことを特徴とする再生機器制御装置。
【請求項５】
前記状態判別手段は、前記所定期間を計るタイマと、前記第１のコマンドの発行の際に第１の値に設定されて前記タイマが前記所定期間を計り終えると第２の値に設定されるタイムフラグとを備え、前記読取り位置にあるコンテンツの先頭に位置付けられた際に、前記タイムフラグが前記第１の値であれば要した時間が前記所定時間内であることを示し、前記タイムフラグが前記第２の値であれば要した時間が前記所定時間内でないことを示す
ことを特徴とする請求項４記載の再生機器制御装置。
【請求項６】
前記状態判別手段は、前記所定期間を計るタイマと、前記第１のコマンドの発行の際に第１の値に設定されて前記読取り位置にあるコンテンツの先頭に位置付けるコマンドの完了の際に第２の値に設定される頭出しフラグとを備え、前記タイマが前記所定期間を計り終えた際に、前記頭出しフラグが前記第１の値であれば要した時間が前記所定時間内でないことを示し、前記頭出しフラグが前記第２の値であれば要した時間が前記所定時間内であることを示す
ことを特徴とする請求項４記載の再生機器制御装置。
【請求項７】
前記コマンド発行手段は、前記第１のコマンドの完了を前記再生機器から受け取ると、その際に先頭に位置付けられたコンテンツを再生するコマンドを前記再生機器にさらに発行する
ことを特徴とする請求項４記載の再生機器制御装置。
【請求項８】
前記コマンド発行手段は、前記第２のコマンドの完了を前記再生機器から受け取ると、その際に先頭に位置付けられたコンテンツを再生するコマンドを前記再生機器にさらに発行する
ことを特徴とする請求項４記載の再生機器制御装置。
【請求項９】
テープ記録媒体上に連続して記録された複数のコンテンツを再生するための再生機器と、
この再生機器における前記テープ記録媒体上の読取り位置にあるコンテンツの先頭に前記テープ記録媒体を位置付ける第１のコマンドを前記再生機器に発行するコマンド発行手段と、
前記コマンド発行から前記読取り位置にあるコンテンツの先頭に位置付けられるまでに要した時間が所定時間内であるか否かを示す状態判別手段とを備え、
前記コマンド発行手段は、前記読取り位置にあるコンテンツの先頭に位置付けられるまでに要した時間が前記所定時間内であると前記状態判別手段により示された場合には前記読取り位置にあるコンテンツの直前に記録されたコンテンツの先頭に前記テープ記録媒体を位置付ける第２のコマンドを前記再生機器にさらに発行する
ことを特徴とする再生機器制御システム。
【請求項１０】
前記状態判別手段は、前記所定期間を計るタイマと、前記第１のコマンドの発行の際に第１の値に設定されて前記タイマが前記所定期間を計り終えると第２の値に設定されるタイムフラグとを備え、前記読取り位置にあるコンテンツの先頭に位置付けられた際に、前記タイムフラグが前記第１の値であれば要した時間が前記所定時間内であることを示し、前記タイムフラグが前記第２の値であれば要した時間が前記所定時間内でないことを示す
ことを特徴とする請求項９記載の再生機器制御システム。
【請求項１１】
前記状態判別手段は、前記所定期間を計るタイマと、前記第１のコマンドの発行の際に第１の値に設定されて前記読取り位置にあるコンテンツの先頭に位置付けるコマンドの完了の際に第２の値に設定される頭出しフラグとを備え、前記タイマが前記所定期間を計り終えた際に、前記頭出しフラグが前記第１の値であれば要した時間が前記所定時間内でないことを示し、前記頭出しフラグが前記第２の値であれば要した時間が前記所定時間内であることを示すことを特徴とする請求項９記載の再生機器制御システム。
【請求項１２】
前記コマンド発行手段は、前記第１のコマンドの完了を前記再生機器から受け取ると、その際に先頭に位置付けられたコンテンツを再生するコマンドを前記再生機器にさらに発行する
ことを特徴とする請求項９記載の再生機器制御システム。
【請求項１３】
前記コマンド発行手段は、前記第２のコマンドの完了を前記再生機器から受け取ると、その際に先頭に位置付けられたコンテンツを再生するコマンドを前記再生機器にさらに発行する
ことを特徴とする請求項９記載の再生機器制御システム。
【請求項１４】
前記再生機器と前記コマンド発行手段との間はＩＥＥＥ１３９４インタフェース経由により接続されており、前記第１および第２のコマンドはＡＶ／ＣコマンドのＢＡＣＫＷＡＲＤコマンドにより実現される
ことを特徴とする請求項９記載の再生機器制御システム。
【請求項１５】
テープ記録媒体上に連続して記録された複数のコンテンツを再生するための再生機器を制御する再生機器制御方法であって、
前記再生機器における前記テープ記録媒体上の読取り位置にあるコンテンツの先頭に前記テープ記録媒体を位置付ける第１のコマンドを前記再生機器に発行する手順と、
前記第１のコマンドの発行から前記読取り位置にあるコンテンツの先頭に位置付けられるまでに要した時間が所定時間内であるか否かを判断する手順と、
前記読取り位置にあるコンテンツの先頭に位置付けられるまでに要した時間が前記所定時間内であると判断された場合には前記読取り位置にあるコンテンツの直前に記録されたコンテンツの先頭に前記テープ記録媒体を位置付ける第２のコマンドを前記再生機器に発行する手順と
を備えることを特徴とする再生機器制御方法。
【請求項１６】
テープ記録媒体上に連続して記録された複数のコンテンツを再生するための再生機器を制御する再生機器制御方法であって、
前記再生機器における前記テープ記録媒体上の読取り位置にあるコンテンツの先頭に前記テープ記録媒体を位置付ける第１のコマンドを前記再生機器に発行する手順と、
前記第１のコマンドの完了を前記再生機器から受け取ると、その際に先頭に位置付けられたコンテンツを再生する第２のコマンドを前記再生機器に発行する手順と、
前記第１のコマンドの発行から前記読取り位置にあるコンテンツの先頭に位置付けられるまでに要した時間が所定時間内であるか否かを判断する手順と、
前記読取り位置にあるコンテンツの先頭に位置付けられるまでに要した時間が前記所定時間内であると判断された場合には前記読取り位置にあるコンテンツの直前に記録されたコンテンツの先頭に前記テープ記録媒体を位置付ける第３のコマンドを前記再生機器に発行する手順と、
前記第３のコマンドの完了を前記再生機器から受け取ると、その際に先頭に位置付けられたコンテンツを再生する第４のコマンドを前記再生機器に発行する手順と
を備えることを特徴とする再生機器制御方法。
【請求項１７】
テープ記録媒体上に連続して記録された複数のコンテンツを再生するための再生機器を制御する再生機器制御方法であって、
タイムフラグに第１の値を設定する手順と、
所定時間経過後に前記タイムフラグに第２の値を設定するタイマの計時を開始する手順と、
前記再生機器における前記テープ記録媒体上の読取り位置にあるコンテンツの先頭に前記テープ記録媒体を位置付ける第１のコマンドを前記再生機器に発行する手順と、
前記読取り位置にあるコンテンツの先頭に位置付けられた際に前記タイムフラグの値を確認する手順と、
前記タイムフラグに前記第１の値が設定されている場合には前記読取り位置にあるコンテンツの直前に記録されたコンテンツの先頭に前記テープ記録媒体を位置付ける第２のコマンドを前記再生機器に発行する手順と
を備えることを特徴とする再生機器制御方法。
【請求項１８】
テープ記録媒体上に連続して記録された複数のコンテンツを再生するための再生機器を制御する再生機器制御方法であって、
頭出しフラグに第１の値を設定する手順と、
所定時間経過後に所定の割込み処理を起動するタイマの計時を開始する手順と、
前記再生機器における前記テープ記録媒体上の読取り位置にあるコンテンツの先頭に前記テープ記録媒体を位置付ける第１のコマンドを前記再生機器に発行する手順と、
前記読取り位置にあるコンテンツの先頭に位置付けられた際に前記頭出しフラグに第２の値を設定する手順とを備え、
前記所定の割込み処理は、前記頭出しフラグに前記第２の値が設定されている場合には前記読取り位置にあるコンテンツの直前に記録されたコンテンツの先頭に前記テープ記録媒体を位置付ける第２のコマンドを前記再生機器に発行する手順を備える
ことを特徴とする再生機器制御方法。
【請求項１９】
テープ記録媒体上に連続して記録された複数のコンテンツを再生する再生機器を制御するために、
前記再生機器における前記テープ記録媒体上の読取り位置にあるコンテンツの先頭に前記テープ記録媒体を位置付ける第１のコマンドを前記再生機器に発行する手順と、
前記第１のコマンドの発行から前記読取り位置にあるコンテンツの先頭に位置付けられるまでに要した時間が所定時間内であるか否かを判断する手順と、
前記読取り位置にあるコンテンツの先頭に位置付けられるまでに要した時間が前記所定時間内であると判断された場合には前記読取り位置にあるコンテンツの直前に記録されたコンテンツの先頭に前記テープ記録媒体を位置付ける第２のコマンドを前記再生機器に発行する手順と
をコンピュータに実行させるためのプログラムを記録したことを特徴とするコンピュータ読み取り可能な記録媒体。
【請求項２０】
テープ記録媒体上に連続して記録された複数のコンテンツを再生する再生機器を制御するために、
前記再生機器における前記テープ記録媒体上の読取り位置にあるコンテンツの先頭に前記テープ記録媒体を位置付ける第１のコマンドを前記再生機器に発行する手順と、
前記第１のコマンドの完了を前記再生機器から受け取ると、その際に先頭に位置付けられたコンテンツを再生する第２のコマンドを前記再生機器に発行する手順と、
前記第１のコマンドの発行から前記読取り位置にあるコンテンツの先頭に位置付けられるまでに要した時間が所定時間内であるか否かを判断する手順と、
前記読取り位置にあるコンテンツの先頭に位置付けられるまでに要した時間が前記所定時間内であると判断された場合には前記読取り位置にあるコンテンツの直前に記録されたコンテンツの先頭に前記テープ記録媒体を位置付ける第３のコマンドを前記再生機器に発行する手順と、
前記第３のコマンドの完了を前記再生機器から受け取ると、その際に先頭に位置付けられたコンテンツを再生する第４のコマンドを前記再生機器に発行する手順と
をコンピュータに実行させるためのプログラムを記録したことを特徴とするコンピュータ読み取り可能な記録媒体。
【請求項２１】
テープ記録媒体上に連続して記録された複数のコンテンツを再生する再生機器を制御するために、
タイムフラグに第１の値を設定する手順と、
所定時間経過後に前記タイムフラグに第２の値を設定するタイマの計時を開始する手順と、
前記再生機器における前記テープ記録媒体上の読取り位置にあるコンテンツの先頭に前記テープ記録媒体を位置付ける第１のコマンドを前記再生機器に発行する手順と、
前記読取り位置にあるコンテンツの先頭に位置付けられた際に前記タイムフラグの値を確認する手順と、
前記タイムフラグに前記第１の値が設定されている場合には前記読取り位置にあるコンテンツの直前に記録されたコンテンツの先頭に前記テープ記録媒体を位置付ける第２のコマンドを前記再生機器に発行する手順と
をコンピュータに実行させるためのプログラムを記録したことを特徴とするコンピュータ読み取り可能な記録媒体。
【請求項２２】
テープ記録媒体上に連続して記録された複数のコンテンツを再生する再生機器を制御するために、
頭出しフラグに第１の値を設定する手順と、
所定時間経過後に所定の割込み処理を起動するタイマの計時を開始する手順と、
前記再生機器における前記テープ記録媒体上の読取り位置にあるコンテンツの先頭に前記テープ記録媒体を位置付ける第１のコマンドを前記再生機器に発行する手順と、
前記読取り位置にあるコンテンツの先頭に位置付けられた際に前記頭出しフラグに第２の値を設定する手順と
をコンピュータに実行させるためのプログラムを記録し、
前記所定の割込み処理は、前記頭出しフラグに前記第２の値が設定されている場合には前記読取り位置にあるコンテンツの直前に記録されたコンテンツの先頭に前記テープ記録媒体を位置付ける第２のコマンドを前記再生機器に発行する手順を備える
ことを特徴とするコンピュータ読み取り可能な記録媒体。
【請求項２３】
テープ記録媒体上に連続して記録された複数のコンテンツを再生する再生機器を制御するために、
前記再生機器における前記テープ記録媒体上の読取り位置にあるコンテンツの先頭に前記テープ記録媒体を位置付ける第１のコマンドを前記再生機器に発行する手順と、
前記第１のコマンドの発行から前記読取り位置にあるコンテンツの先頭に位置付けられるまでに要した時間が所定時間内であるか否かを判断する手順と、
前記読取り位置にあるコンテンツの先頭に位置付けられるまでに要した時間が前記所定時間内であると判断された場合には前記読取り位置にあるコンテンツの直前に記録されたコンテンツの先頭に前記テープ記録媒体を位置付ける第２のコマンドを前記再生機器に発行する手順と
をコンピュータに実行させることを特徴とするプログラム。
【請求項２４】
テープ記録媒体上に連続して記録された複数のコンテンツを再生する再生機器を制御するために、
前記再生機器における前記テープ記録媒体上の読取り位置にあるコンテンツの先頭に前記テープ記録媒体を位置付ける第１のコマンドを前記再生機器に発行する手順と、
前記第１のコマンドの完了を前記再生機器から受け取ると、その際に先頭に位置付けられたコンテンツを再生する第２のコマンドを前記再生機器に発行する手順と、
前記第１のコマンドの発行から前記読取り位置にあるコンテンツの先頭に位置付けられるまでに要した時間が所定時間内であるか否かを判断する手順と、
前記読取り位置にあるコンテンツの先頭に位置付けられるまでに要した時間が前記所定時間内であると判断された場合には前記読取り位置にあるコンテンツの直前に記録されたコンテンツの先頭に前記テープ記録媒体を位置付ける第３のコマンドを前記再生機器に発行する手順と、
前記第３のコマンドの完了を前記再生機器から受け取ると、その際に先頭に位置付けられたコンテンツを再生する第４のコマンドを前記再生機器に発行する手順と
をコンピュータに実行させることを特徴とするプログラム。
【請求項２５】
テープ記録媒体上に連続して記録された複数のコンテンツを再生する再生機器を制御するために、
タイムフラグに第１の値を設定する手順と、
所定時間経過後に前記タイムフラグに第２の値を設定するタイマの計時を開始する手順と、
前記再生機器における前記テープ記録媒体上の読取り位置にあるコンテンツの先頭に前記テープ記録媒体を位置付ける第１のコマンドを前記再生機器に発行する手順と、
前記読取り位置にあるコンテンツの先頭に位置付けられた際に前記タイムフラグの値を確認する手順と、
前記タイムフラグに前記第１の値が設定されている場合には前記読取り位置にあるコンテンツの直前に記録されたコンテンツの先頭に前記テープ記録媒体を位置付ける第２のコマンドを前記再生機器に発行する手順と
をコンピュータに実行させることを特徴とするプログラム。
【請求項２６】
テープ記録媒体上に連続して記録された複数のコンテンツを再生する再生機器を制御するために、
頭出しフラグに第１の値を設定する手順と、
所定時間経過後に所定の割込み処理を起動するタイマの計時を開始する手順と、
前記再生機器における前記テープ記録媒体上の読取り位置にあるコンテンツの先頭に前記テープ記録媒体を位置付ける第１のコマンドを前記再生機器に発行する手順と、
前記読取り位置にあるコンテンツの先頭に位置付けられた際に前記頭出しフラグに第２の値を設定する手順と
をコンピュータに実行させるためのプログラムであって、
前記所定の割込み処理は、前記頭出しフラグに前記第２の値が設定されている場合には前記読取り位置にあるコンテンツの直前に記録されたコンテンツの先頭に前記テープ記録媒体を位置付ける第２のコマンドを前記再生機器に発行する手順を備える
ことを特徴とするプログラム。
【発明の詳細な説明】
【０００１】
【発明の属する技術分野】
本発明は、再生機器制御装置、再生機器制御システム、再生機器制御方法、再生機器制御プログラムおよびそのプログラムを格納する記憶媒体に関し、特にコンテンツの頭出し機能を有する再生機器に対して制御を行うために適用されるものに関する。
【０００２】
【従来の技術】
複数のコンテンツを連続して記録する記録媒体においては、コンテンツの区切りを識別するための制御信号を記録しておく場合がある。例えば、ある種のテープ記録媒体では、コンテンツの先頭位置を示すＶＩＳＳ（Ｖｉｄｅｏ−Ｈｏｍｅ−Ｓｙｓｔｅｍ　Ｉｎｄｅｘ　Ｓｅａｒｃｈ　Ｓｙｓｔｅｍ）信号をコントロールトラックに記録している。このＶＩＳＳ信号をサーチすることによって、各コンテンツの頭出しを行うことができる。
【０００３】
再生機器においてＶＩＳＳ信号を利用したサーチを行うために、例えば「逆方向ＶＩＳＳサーチ」ボタンが設けられ、この「逆方向ＶＩＳＳサーチ」ボタンを押下することにより現コンテンツの先頭から再生が行われるようになっている。また、再生機器をＩＥＥＥ１３９４インタフェース（米国電気電子学会による標準化規格）により接続して操作する際にはＡＶ／Ｃコマンド（ＡＶ／Ｃ　Ｄｉｇｉｔａｌ　Ｉｎｔｅｒｆａｃｅ　Ｃｏｍｍａｎｄ　Ｓｅｔ）と呼ばれるコマンドセットが使用されるが、このＡＶ／Ｃコマンドを使用した場合でもＶＩＳＳ信号による頭出しを行った後で再生状態に移行する技術が提案されている（例えば、特許文献１参照。）。
【０００４】
例えば、図７（ａ）を参照すると、コンテンツの先頭位置にはコントロールトラックにＶＩＳＳ信号３２が記録されており、コントロールトラックのそれ以外の部分には通常信号３１が記録されている。記録媒体上の現在の読取り位置３９において「逆方向ＶＩＳＳサーチ」ボタンを押下すると、直前のＶＩＳＳ信号３２が記録されている場所に位置付けられてコンテンツの先頭から再生が行われる。
【０００５】
【特許文献１】
特開２００１−０４３５８４号公報（図４）
【０００６】
【発明が解決しようとする課題】
上述の従来技術では、現コンテンツの頭出しを行ってそのコンテンツの内容を確認した際にさらに前のコンテンツの頭出しをしたくなった場合には、再び現コンテンツの頭出しをしてさらにその前のコンテンツの頭出しを行う必要があり、操作が煩雑となる。特に、コンテンツの頭出しが行われた後に自動的に再生状態に移行していると、「逆方向ＶＩＳＳサーチ」ボタンを何度押下しても現コンテンツから前のコンテンツに移動しないという現象が生じるおそれもある。
【０００７】
本発明の目的は、再生機器における現コンテンツの読出し位置に応じて適切なコンテンツの頭出しを行うよう制御することにある。
【０００８】
【課題を解決するための手段】
上記課題を解決するために本発明の再生機器制御装置は、記録媒体上に連続して記録された複数のコンテンツを再生するための再生機器を制御する再生機器制御装置であって、上記再生機器における上記記録媒体上の読取り位置を判別して、上記複数のコンテンツのうち上記読取り位置にあるコンテンツの先頭から所定区間内に上記読取り位置があれば上記読取り位置にあるコンテンツの直前に記録されたコンテンツの先頭に上記記録媒体を位置付け、上記読取り位置にあるコンテンツの先頭から上記所定区間内に上記読取り位置がなければ上記読取り位置にあるコンテンツの先頭に上記記録媒体を位置付けるよう上記再生機器を制御する。これにより、再生機器における記録媒体上の現コンテンツの読出し位置に応じて適切なコンテンツの頭出しが行われるという作用をもたらす。
【０００９】
また、本発明の他の再生機器制御装置は、テープ記録媒体上に連続して記録された複数のコンテンツを再生するための再生機器を制御する再生機器制御装置であって、上記再生機器における上記テープ記録媒体上の読取り位置から上記テープ記録媒体の巻き戻し操作を行い、所定時間内に上記複数のコンテンツのうち上記読取り位置にあるコンテンツの先頭に位置付けられた場合には上記読取り位置にあるコンテンツの直前に記録されたコンテンツの先頭に上記テープ記録媒体を位置付け、上記所定時間内に上記複数のコンテンツのうち上記読取り位置にあるコンテンツの先頭に位置付けられなかった場合には上記読取り位置にあるコンテンツの先頭に上記テープ記録媒体を位置付けるよう上記再生機器を制御する。これにより、再生機器におけるテープ記録媒体上の現コンテンツの読出し位置に応じて適切なコンテンツの頭出しが行われるという作用をもたらす。
【００１０】
また、本発明の他の再生機器制御装置は、記録媒体上に連続して記録された複数のコンテンツを再生するための再生機器を制御する再生機器制御装置であって、上記再生機器における上記記録媒体上の読取り位置を判別する状態判別手段と、上記複数のコンテンツのうち上記読取り位置にあるコンテンツの先頭から所定区間内に上記読取り位置があれば上記読取り位置にあるコンテンツの直前に記録されたコンテンツの先頭に上記記録媒体を位置付けるコマンドを上記再生機器に発行し、上記読取り位置にあるコンテンツの先頭から上記所定区間内に上記読取り位置がなければ上記読取り位置にあるコンテンツの先頭に上記記録媒体を位置付けるコマンドを上記再生機器に発行するコマンド発行手段とを備える。これにより、状態判別手段によって記録媒体上の読取り位置を判別して、その判別結果に応じてコマンド発行手段が適切なコンテンツの頭出しを指示するコマンドを発行するという作用をもたらす。
【００１１】
また、本発明の他の再生機器制御装置は、テープ記録媒体上に連続して記録された複数のコンテンツを再生するための再生機器を制御する再生機器制御装置であって、上記再生機器における上記テープ記録媒体上の読取り位置にあるコンテンツの先頭に上記テープ記録媒体を位置付ける第１のコマンドを上記再生機器に発行するコマンド発行手段と、上記第１のコマンドの発行から上記読取り位置にあるコンテンツの先頭に位置付けられるまでに要した時間が所定時間内であるか否かを示す状態判別手段とを備え、上記コマンド発行手段は、上記読取り位置にあるコンテンツの先頭に位置付けられるまでに要した時間が上記所定時間内であると上記状態判別手段により示された場合には上記読取り位置にあるコンテンツの直前に記録されたコンテンツの先頭に上記テープ記録媒体を位置付ける第２のコマンドを上記再生機器にさらに発行する。これにより、コマンド発行手段が第１のコマンドを発行した後に状態判別手段がテープ記録媒体上の読取り位置を判断して、その判別結果に応じてコマンド発行手段がさらに第２のコマンドを発行するという作用をもたらす。
【００１２】
また、本発明の他の再生機器制御装置において、上記状態判別手段は、上記所定期間を計るタイマと、上記第１のコマンドの発行の際に第１の値に設定されて上記タイマが上記所定期間を計り終えると第２の値に設定されるタイムフラグとを備え、上記読取り位置にあるコンテンツの先頭に位置付けられた際に、上記タイムフラグが上記第１の値であれば要した時間が上記所定時間内であることを示し、上記タイムフラグが上記第２の値であれば要した時間が上記所定時間内でないことを示す。これにより、読取り位置にあるコンテンツの先頭に位置付けられた際にタイムフラグの内容をチェックすることにより、その結果に応じてコマンド発行手段がさらに第２のコマンドを発行するという作用をもたらす。
【００１３】
また、本発明の他の再生機器制御装置において、上記状態判別手段は、上記所定期間を計るタイマと、上記第１のコマンドの発行の際に第１の値に設定されて上記読取り位置にあるコンテンツの先頭に位置付けるコマンドの完了の際に第２の値に設定される頭出しフラグとを備え、上記タイマが上記所定期間を計り終えた際に、上記頭出しフラグが上記第１の値であれば要した時間が上記所定時間内でないことを示し、上記頭出しフラグが上記第２の値であれば要した時間が上記所定時間内であることを示す。これにより、タイマが所定期間を計り終えた際に頭出しフラグの内容をチェックすることにより、その結果に応じてコマンド発行手段がさらに第２のコマンドを発行するという作用をもたらす。
【００１４】
また、本発明の他の再生機器制御装置において、上記コマンド発行手段は、上記第１のコマンドの完了を上記再生機器から受け取ると、その際に先頭に位置付けられたコンテンツを再生するコマンドを上記再生機器にさらに発行する。これにより、現コンテンツの頭出し完了後に速やかにコンテンツの再生を行うという作用をもたらす。
【００１５】
また、本発明の他の再生機器制御装置において、上記コマンド発行手段は、上記第２のコマンドの完了を上記再生機器から受け取ると、その際に先頭に位置付けられたコンテンツを再生するコマンドを上記再生機器にさらに発行する。これにより、直前のコンテンツの頭出し完了後に速やかにコンテンツの再生を行うという作用をもたらす。
【００１６】
また、本発明の再生機器制御システムは、テープ記録媒体上に連続して記録された複数のコンテンツを再生するための再生機器と、この再生機器における上記テープ記録媒体上の読取り位置にあるコンテンツの先頭に上記テープ記録媒体を位置付ける第１のコマンドを上記再生機器に発行するコマンド発行手段と、上記コマンド発行から上記読取り位置にあるコンテンツの先頭に位置付けられるまでに要した時間が所定時間内であるか否かを示す状態判別手段とを備え、上記コマンド発行手段は、上記読取り位置にあるコンテンツの先頭に位置付けられるまでに要した時間が上記所定時間内であると上記状態判別手段により示された場合には上記読取り位置にあるコンテンツの直前に記録されたコンテンツの先頭に上記テープ記録媒体を位置付ける第２のコマンドを上記再生機器にさらに発行する。これにより、コマンド発行手段が第１のコマンドを発行した後に状態判別手段がテープ記録媒体上の読取り位置を判断して、その判別結果に応じてコマンド発行手段がさらに第２のコマンドを発行するという作用をもたらす。
【００１７】
また、本発明の他の再生機器制御システムにおいて、上記状態判別手段は、上記所定期間を計るタイマと、上記第１のコマンドの発行の際に第１の値に設定されて上記タイマが上記所定期間を計り終えると第２の値に設定されるタイムフラグとを備え、上記読取り位置にあるコンテンツの先頭に位置付けられた際に、上記タイムフラグが上記第１の値であれば要した時間が上記所定時間内であることを示し、上記タイムフラグが上記第２の値であれば要した時間が上記所定時間内でないことを示す。これにより、読取り位置にあるコンテンツの先頭に位置付けられた際にタイムフラグの内容をチェックすることにより、その結果に応じてコマンド発行手段がさらに第２のコマンドを発行するという作用をもたらす。
【００１８】
また、本発明の他の再生機器制御システムにおいて、上記状態判別手段は、上記所定期間を計るタイマと、上記第１のコマンドの発行の際に第１の値に設定されて上記読取り位置にあるコンテンツの先頭に位置付けるコマンドの完了の際に第２の値に設定される頭出しフラグとを備え、上記タイマが上記所定期間を計り終えた際に、上記頭出しフラグが上記第１の値であれば要した時間が上記所定時間内でないことを示し、上記頭出しフラグが上記第２の値であれば要した時間が上記所定時間内であることを示す。これにより、タイマが所定期間を計り終えた際に頭出しフラグの内容をチェックすることにより、その結果に応じてコマンド発行手段がさらに第２のコマンドを発行するという作用をもたらす。
【００１９】
また、本発明の他の再生機器制御システムにおいて、上記コマンド発行手段は、上記第１のコマンドの完了を上記再生機器から受け取ると、その際に先頭に位置付けられたコンテンツを再生するコマンドを上記再生機器にさらに発行する。これにより、現コンテンツの頭出し完了後に速やかにコンテンツの再生を行うという作用をもたらす。
【００２０】
また、本発明の他の再生機器制御システムにおいて、上記コマンド発行手段は、上記第２のコマンドの完了を上記再生機器から受け取ると、その際に先頭に位置付けられたコンテンツを再生するコマンドを上記再生機器にさらに発行する。これにより、直前のコンテンツの頭出し完了後に速やかにコンテンツの再生を行うという作用をもたらす。
【００２１】
また、本発明の他の再生機器制御システムにおいて、上記再生機器と上記コマンド発行手段との間はＩＥＥＥ１３９４インタフェース経由により接続されており、上記第１および第２のコマンドはＡＶ／ＣコマンドのＢＡＣＫＷＡＲＤコマンドにより実現される。
【００２２】
また、本発明の再生機器制御方法は、テープ記録媒体上に連続して記録された複数のコンテンツを再生するための再生機器を制御する再生機器制御方法であって、上記再生機器における上記テープ記録媒体上の読取り位置にあるコンテンツの先頭に上記テープ記録媒体を位置付ける第１のコマンドを上記再生機器に発行する手順と、上記第１のコマンドの発行から上記読取り位置にあるコンテンツの先頭に位置付けられるまでに要した時間が所定時間内であるか否かを判断する手順と、上記読取り位置にあるコンテンツの先頭に位置付けられるまでに要した時間が上記所定時間内であると判断された場合には上記読取り位置にあるコンテンツの直前に記録されたコンテンツの先頭に上記テープ記録媒体を位置付ける第２のコマンドを上記再生機器に発行する手順とを備える。これにより、第１のコマンドを発行した後にテープ記録媒体上の読取り位置を判断して、その判別結果に応じてさらに第２のコマンドを発行するという作用をもたらす。
【００２３】
また、本発明の他の再生機器制御方法は、テープ記録媒体上に連続して記録された複数のコンテンツを再生するための再生機器を制御する再生機器制御方法であって、上記再生機器における上記テープ記録媒体上の読取り位置にあるコンテンツの先頭に上記テープ記録媒体を位置付ける第１のコマンドを上記再生機器に発行する手順と、上記第１のコマンドの完了を上記再生機器から受け取ると、その際に先頭に位置付けられたコンテンツを再生する第２のコマンドを上記再生機器に発行する手順と、上記第１のコマンドの発行から上記読取り位置にあるコンテンツの先頭に位置付けられるまでに要した時間が所定時間内であるか否かを判断する手順と、上記読取り位置にあるコンテンツの先頭に位置付けられるまでに要した時間が上記所定時間内であると判断された場合には上記読取り位置にあるコンテンツの直前に記録されたコンテンツの先頭に上記テープ記録媒体を位置付ける第３のコマンドを上記再生機器に発行する手順と、上記第３のコマンドの完了を上記再生機器から受け取ると、その際に先頭に位置付けられたコンテンツを再生する第４のコマンドを上記再生機器に発行する手順とを備える。これにより、コンテンツの頭出し完了後に速やかにコンテンツの再生を行うという作用をもたらす。
【００２４】
また、本発明の他の再生機器制御方法は、テープ記録媒体上に連続して記録された複数のコンテンツを再生するための再生機器を制御する再生機器制御方法であって、タイムフラグに第１の値を設定する手順と、所定時間経過後に上記タイムフラグに第２の値を設定するタイマの計時を開始する手順と、上記再生機器における上記テープ記録媒体上の読取り位置にあるコンテンツの先頭に上記テープ記録媒体を位置付ける第１のコマンドを上記再生機器に発行する手順と、上記読取り位置にあるコンテンツの先頭に位置付けられた際に上記タイムフラグの値を確認する手順と、上記タイムフラグに上記第１の値が設定されている場合には上記読取り位置にあるコンテンツの直前に記録されたコンテンツの先頭に上記テープ記録媒体を位置付ける第２のコマンドを上記再生機器に発行する手順とを備える。これにより、読取り位置にあるコンテンツの先頭に位置付けられた際にタイムフラグの内容をチェックすることにより、その結果に応じてさらに第２のコマンドを再生機器に発行するという作用をもたらす。
【００２５】
また、本発明の他の再生機器制御方法は、テープ記録媒体上に連続して記録された複数のコンテンツを再生するための再生機器を制御する再生機器制御方法であって、頭出しフラグに第１の値を設定する手順と、所定時間経過後に所定の割込み処理を起動するタイマの計時を開始する手順と、上記再生機器における上記テープ記録媒体上の読取り位置にあるコンテンツの先頭に上記テープ記録媒体を位置付ける第１のコマンドを上記再生機器に発行する手順と、上記読取り位置にあるコンテンツの先頭に位置付けられた際に上記頭出しフラグに第２の値を設定する手順とを備え、上記所定の割込み処理は、上記頭出しフラグに上記第２の値が設定されている場合には上記読取り位置にあるコンテンツの直前に記録されたコンテンツの先頭に上記テープ記録媒体を位置付ける第２のコマンドを上記再生機器に発行する手順を備える。これにより、タイマが所定期間を計り終えた際に頭出しフラグの内容をチェックすることにより、その結果に応じてさらに第２のコマンドを再生機器に発行するという作用をもたらす。
【００２６】
また、本発明のコンピュータ読み取り可能な記録媒体は、テープ記録媒体上に連続して記録された複数のコンテンツを再生する再生機器を制御するために、上記再生機器における上記テープ記録媒体上の読取り位置にあるコンテンツの先頭に上記テープ記録媒体を位置付ける第１のコマンドを上記再生機器に発行する手順と、上記第１のコマンドの発行から上記読取り位置にあるコンテンツの先頭に位置付けられるまでに要した時間が所定時間内であるか否かを判断する手順と、上記読取り位置にあるコンテンツの先頭に位置付けられるまでに要した時間が上記所定時間内であると判断された場合には上記読取り位置にあるコンテンツの直前に記録されたコンテンツの先頭に上記テープ記録媒体を位置付ける第２のコマンドを上記再生機器に発行する手順とをコンピュータに実行させるためのプログラムを記録する。これにより、第１のコマンドを発行した後にテープ記録媒体上の読取り位置を判断して、その判別結果に応じてさらに第２のコマンドを発行するという作用をもたらす。
【００２７】
また、本発明の他のコンピュータ読み取り可能な記録媒体は、テープ記録媒体上に連続して記録された複数のコンテンツを再生する再生機器を制御するために、上記再生機器における上記テープ記録媒体上の読取り位置にあるコンテンツの先頭に上記テープ記録媒体を位置付ける第１のコマンドを上記再生機器に発行する手順と、上記第１のコマンドの完了を上記再生機器から受け取ると、その際に先頭に位置付けられたコンテンツを再生する第２のコマンドを上記再生機器に発行する手順と、上記第１のコマンドの発行から上記読取り位置にあるコンテンツの先頭に位置付けられるまでに要した時間が所定時間内であるか否かを判断する手順と、上記読取り位置にあるコンテンツの先頭に位置付けられるまでに要した時間が上記所定時間内であると判断された場合には上記読取り位置にあるコンテンツの直前に記録されたコンテンツの先頭に上記テープ記録媒体を位置付ける第３のコマンドを上記再生機器に発行する手順と、上記第３のコマンドの完了を上記再生機器から受け取ると、その際に先頭に位置付けられたコンテンツを再生する第４のコマンドを上記再生機器に発行する手順とをコンピュータに実行させるためのプログラムを記録する。これにより、コンテンツの頭出し完了後に速やかにコンテンツの再生を行うという作用をもたらす。
【００２８】
また、本発明の他のコンピュータ読み取り可能な記録媒体は、テープ記録媒体上に連続して記録された複数のコンテンツを再生する再生機器を制御するために、タイムフラグに第１の値を設定する手順と、所定時間経過後に上記タイムフラグに第２の値を設定するタイマの計時を開始する手順と、上記再生機器における上記テープ記録媒体上の読取り位置にあるコンテンツの先頭に上記テープ記録媒体を位置付ける第１のコマンドを上記再生機器に発行する手順と、上記読取り位置にあるコンテンツの先頭に位置付けられた際に上記タイムフラグの値を確認する手順と、上記タイムフラグに上記第１の値が設定されている場合には上記読取り位置にあるコンテンツの直前に記録されたコンテンツの先頭に上記テープ記録媒体を位置付ける第２のコマンドを上記再生機器に発行する手順とをコンピュータに実行させるためのプログラムを記録する。これにより、読取り位置にあるコンテンツの先頭に位置付けられた際にタイムフラグの内容をチェックすることにより、その結果に応じてさらに第２のコマンドを再生機器に発行するという作用をもたらす。
【００２９】
また、本発明の他のコンピュータ読み取り可能な記録媒体は、テープ記録媒体上に連続して記録された複数のコンテンツを再生する再生機器を制御するために、頭出しフラグに第１の値を設定する手順と、所定時間経過後に所定の割込み処理を起動するタイマの計時を開始する手順と、上記再生機器における上記テープ記録媒体上の読取り位置にあるコンテンツの先頭に上記テープ記録媒体を位置付ける第１のコマンドを上記再生機器に発行する手順と、上記読取り位置にあるコンテンツの先頭に位置付けられた際に上記頭出しフラグに第２の値を設定する手順とをコンピュータに実行させるためのプログラムを記録し、上記所定の割込み処理は、上記頭出しフラグに上記第２の値が設定されている場合には上記読取り位置にあるコンテンツの直前に記録されたコンテンツの先頭に上記テープ記録媒体を位置付ける第２のコマンドを上記再生機器に発行する手順を備える。これにより、タイマが所定期間を計り終えた際に頭出しフラグの内容をチェックすることにより、その結果に応じてさらに第２のコマンドを再生機器に発行するという作用をもたらす。
【００３０】
また、本発明のプログラムは、テープ記録媒体上に連続して記録された複数のコンテンツを再生する再生機器を制御するために、上記再生機器における上記テープ記録媒体上の読取り位置にあるコンテンツの先頭に上記テープ記録媒体を位置付ける第１のコマンドを上記再生機器に発行する手順と、上記第１のコマンドの発行から上記読取り位置にあるコンテンツの先頭に位置付けられるまでに要した時間が所定時間内であるか否かを判断する手順と、上記読取り位置にあるコンテンツの先頭に位置付けられるまでに要した時間が上記所定時間内であると判断された場合には上記読取り位置にあるコンテンツの直前に記録されたコンテンツの先頭に上記テープ記録媒体を位置付ける第２のコマンドを上記再生機器に発行する手順とをコンピュータに実行させる。これにより、第１のコマンドを発行した後にテープ記録媒体上の読取り位置を判断して、その判別結果に応じてさらに第２のコマンドを発行するという作用をもたらす。
【００３１】
また、本発明の他のプログラムは、テープ記録媒体上に連続して記録された複数のコンテンツを再生する再生機器を制御するために、上記再生機器における上記テープ記録媒体上の読取り位置にあるコンテンツの先頭に上記テープ記録媒体を位置付ける第１のコマンドを上記再生機器に発行する手順と、上記第１のコマンドの完了を上記再生機器から受け取ると、その際に先頭に位置付けられたコンテンツを再生する第２のコマンドを上記再生機器に発行する手順と、上記第１のコマンドの発行から上記読取り位置にあるコンテンツの先頭に位置付けられるまでに要した時間が所定時間内であるか否かを判断する手順と、上記読取り位置にあるコンテンツの先頭に位置付けられるまでに要した時間が上記所定時間内であると判断された場合には上記読取り位置にあるコンテンツの直前に記録されたコンテンツの先頭に上記テープ記録媒体を位置付ける第３のコマンドを上記再生機器に発行する手順と、上記第３のコマンドの完了を上記再生機器から受け取ると、その際に先頭に位置付けられたコンテンツを再生する第４のコマンドを上記再生機器に発行する手順とをコンピュータに実行させる。これにより、コンテンツの頭出し完了後に速やかにコンテンツの再生を行うという作用をもたらす。
【００３２】
また、本発明の他のプログラムは、テープ記録媒体上に連続して記録された複数のコンテンツを再生する再生機器を制御するために、タイムフラグに第１の値を設定する手順と、所定時間経過後に上記タイムフラグに第２の値を設定するタイマの計時を開始する手順と、上記再生機器における上記テープ記録媒体上の読取り位置にあるコンテンツの先頭に上記テープ記録媒体を位置付ける第１のコマンドを上記再生機器に発行する手順と、上記読取り位置にあるコンテンツの先頭に位置付けられた際に上記タイムフラグの値を確認する手順と、上記タイムフラグに上記第１の値が設定されている場合には上記読取り位置にあるコンテンツの直前に記録されたコンテンツの先頭に上記テープ記録媒体を位置付ける第２のコマンドを上記再生機器に発行する手順とをコンピュータに実行させる。これにより、読取り位置にあるコンテンツの先頭に位置付けられた際にタイムフラグの内容をチェックすることにより、その結果に応じてさらに第２のコマンドを再生機器に発行するという作用をもたらす。
【００３３】
また、本発明の他のプログラムは、テープ記録媒体上に連続して記録された複数のコンテンツを再生する再生機器を制御するために、頭出しフラグに第１の値を設定する手順と、所定時間経過後に所定の割込み処理を起動するタイマの計時を開始する手順と、上記再生機器における上記テープ記録媒体上の読取り位置にあるコンテンツの先頭に上記テープ記録媒体を位置付ける第１のコマンドを上記再生機器に発行する手順と、上記読取り位置にあるコンテンツの先頭に位置付けられた際に上記頭出しフラグに第２の値を設定する手順とをコンピュータに実行させるためのプログラムであって、上記所定の割込み処理は、上記頭出しフラグに上記第２の値が設定されている場合には上記読取り位置にあるコンテンツの直前に記録されたコンテンツの先頭に上記テープ記録媒体を位置付ける第２のコマンドを上記再生機器に発行する手順を備える。これにより、タイマが所定期間を計り終えた際に頭出しフラグの内容をチェックすることにより、その結果に応じてさらに第２のコマンドを再生機器に発行するという作用をもたらす。
【００３４】
【発明の実施の形態】
次に本発明の実施の形態について図面を参照して詳細に説明する。
【００３５】
図１を参照すると、本発明の実施の形態による再生機器制御システムでは、制御装置１０００と制御対象である再生機器２０００とがインタフェース３０００を介して接続されている。制御装置１０００は、ユーザからの指示に応答して再生機器２０００に対してコマンドを発行するものであり、例えば、デジタル放送受信機であるＩＲＤ（Ｉｎｔｅｇｒａｔｅｄ　Ｒｅｃｅｉｖｅｒ　Ｄｅｃｏｄｅｒ）、セットトップボックス（ＳＴＢ）やコンピュータ等が該当する。再生機器２０００は、複数のコンテンツを連続して記録する記録媒体を再生する電子機器であり、例えば、デジタルビデオカセットレコーディングシステム（ＤＶＣＲ）、ビデオホームシステム（ＶＨＳ（登録商標））、デジタルビデオホームシステム（Ｄ−ＶＨＳ）等のテープ再生機器が該当する。
【００３６】
上述のＩＥＥＥ１３９４インタフェースのＡＶ／Ｃコマンドにおける制御モデルでは、制御装置１０００がコマンドを発行する「コントローラ」であり、再生機器２０００がコマンドを受信してレスポンスを行う「ターゲット」となる。再生機器２０００として上述のテープ再生機器を前提とすると、ＡＶ／Ｃコマンドのサブユニットとしては「テープ記録再生装置サブユニット」の機能を用いることになる。ＡＶ／Ｃコマンドトランザクションの詳細については後述する。
【００３７】
図２を参照すると、本発明の実施の形態における制御装置１０００は、インタフェース３０００を介して機器接続部１２００に再生機器２０００を接続する。機器接続部１２００には制御部１１００が接続される。制御部１１００は、ユーザからの操作指示を受け取り、再生機器２０００に対して種々のコマンドを発行する。
【００３８】
制御部１１００は、コマンド発行部１１１０と、操作受信部１１２０と、状態判別部１１３０を備える。操作受信部１１２０は、ユーザからの操作指示を受け取り、その指示内容をコマンド発行部１１１０に伝える。状態判別部１１３０は、再生機器２０００からのレスポンスによって再生機器２０００における記録媒体の状態を判別する。コマンド発行部１１１０は、操作受信部１１２０からの指示内容および状態判別部１１３０における判別結果に応じて、再生機器２０００に対してコマンドを発行する。
【００３９】
ここで、本発明の実施の形態の制御装置１０００の一具体例として、デジタル放送受信機を例に挙げて説明する。
【００４０】
図３を参照すると、本発明の実施の形態の一例であるデジタル放送受信機１００は、チューナ１１１と、デスクランブラ１１２と、分離器１１３と、音声復号器１１４と、映像合成器１１５と、映像復号器１１６とを備える。チューナ１１１は、アンテナ１０９により受信した信号から所望の周波数の信号を選局して、例えば位相変調（ＰＳＫ）によりデジタル変調された信号を復調する。デスクランブラ１１２は、スクランブルのかかったデータについてスクランブルを解除する。分離器１１３は、例えばトランスポートデコーダとして機能し、ＭＰＥＧ２の多重化されたトランスポートストリームを音声ストリーム（音声データ）と映像ストリーム（映像データ）とに分離する。音声復号器１１４は、符号化された音声データを復号して出力する。映像合成器１１５は、データ放送画面や表示データを映像データに重ね合せる。これはＯＳＤ（Ｏｎ　Ｓｃｒｅｅｎ　Ｄｉｓｐｌａｙ）コントローラ等ともよばれる。映像復号器１１６は、符号化された映像データをＮＴＳＣ（Ｎａｔｉｏｎａｌ　Ｔｅｌｅｖｉｓｉｏｎ　Ｓｙｓｔｅｍ　Ｃｏｍｍｉｔｔｅｅ）信号などに復号して出力する。また、音声復号器１１４の出力はスピーカ１３０に、映像復号器１１６の出力はディスプレイ１４０にそれぞれ接続されており、スピーカ１３０からは音声が、ディスプレイ１４０からは映像がそれぞれ出力される。
【００４１】
また、デジタル放送受信機１００は、リモコン１５０から発信される赤外線等を受ける受光部１１８と、表示データやＯＳ（オペレーティングシステム）等を格納するメモリ１１７と、電子機器２１０乃至２３０に接続する機器接続部１２０と、デジタル放送受信機１００全体の動作を制御する制御部１１０とをさらに備える。制御部１１０は制御信号線１１９によりデジタル放送受信機１００内の各部に対する制御を行う。なお、制御部１１０は図２の制御部１１００の一例であり、機器接続部１２０は図２の機器接続部１２００の一例である。また、電子機器２１０乃至２３０は図２の再生機器２０００の一例である。
【００４２】
分離器１１３で分離された音声データおよび映像データは、それぞれスイッチ１２１および１２２の一方の入力に接続される。スイッチ１２１および１２２の他方の入力には、機器接続部１２０からの音声データおよび映像データがそれぞれ接続される。これらスイッチ１２１および１２２は連動して動作し、例えば一方のスイッチが分離器１１３からのデータを選択しているときには他方のスイッチも分離器１１３からのデータを選択する。なお、分離器１１３から出力された音声データおよび映像データは、スイッチ１２１および１２２に入力されるのと同時に、機器接続部１２０にも入力されて電子機器２１０乃至２３０において利用される。
【００４３】
図４を参照すると、リモコン１５０は、電源ボタン１５１と、機器再生ボタン１５２と、選択ボタン１５３と、チャンネル選択キー１５４とを備えている。電源ボタン１５１は、デジタル放送受信機１００の電源をオンオフ制御するためのボタンである。機器再生ボタン１５２は、電子機器２１０乃至２３０のＧＵＩ（Ｇｒａｐｈｉｃａｌ　Ｕｓｅｒ　Ｉｎｔｅｒｆａｃｅ）による操作画面をディスプレイ１４０上に表示するためのボタンである。選択ボタン１５３は、ディスプレイ１４０上に表示された操作画面への入力操作を選択するためのボタンである。チャンネル選択キー１５４は、受信しようとする放送局を選択するためのボタンであり、選択された情報はチューナ１１１における選局に使用される。
【００４４】
図５は、機器再生ボタン１５２を押下することによってディスプレイ１４０上に表示される操作画面１４の一例である。この例では、電源表示ボタン１４１と、表示パネル１４２と、再生ボタン１４３と、停止ボタン１４４と、一時停止ボタン１４５と、先送りボタン１４６と、巻き戻しボタン１４７と、順方向ＶＩＳＳサーチボタン１４８と、逆方向ＶＩＳＳサーチボタン１４９とが表示されている。これらのボタンは、リモコン１５０の選択ボタン１５３を操作することにより選択することができる。選択ボタン１５３は、上下左右の四方向に押下でき、また、垂直方向に押し込むことができるようになっている。選択ボタン１５３を四方向に押下することにより操作画面１４上のボタンを選択して、垂直方向に押し込むことにより選択したボタンを決定する。これにより、再生機器用のリモコンを使用しなくても、制御装置（デジタル放送受信機１００）側のリモコンにより再生機器の操作を行うことができる。
【００４５】
電源表示ボタン１４１は、制御対象となる電子機器の電源をオンオフ制御するためのボタンであり、電源がオンのときには表示部１４１１が点灯することにより電源がオンであることを表示する。再生ボタン１４３が選択されると、制御対象となる電子機器において記録媒体の再生が行われる。停止ボタン１４４が選択されると、制御対象となる電子機器において記録媒体の再生等の動作が停止される。一時停止ボタン１４５が選択されると、制御対象となる電子機器において記録媒体の再生動作が一時的に停止される。先送りボタン１４６が選択されると、制御対象となる電子機器において記録媒体の先送りが行われる。巻き戻しボタン１４７が選択されると、制御対象となる電子機器において記録媒体の巻き戻しが行われる。順方向ＶＩＳＳサーチボタン１４８が選択されると、制御対象となる電子機器において記録媒体の先送りが行われて、コンテンツの頭出しが行われる。逆方向ＶＩＳＳサーチボタン１４９が選択されると、制御対象となる電子機器において記録媒体の巻き戻しが行われて、コンテンツの頭出しが行われる。
【００４６】
表示パネル１４２は、制御対象となる電子機器における記録媒体の状態を表示するものであり、一例として、機器名称１４２１と、動作状態１４２２と、経過時間１４２３とが表示されている。機器名称１４２１としては、機器の一般名称もしくは製品名称を表示することができる。動作状態１４２２としては、例えば、再生中や巻き戻し中であることを示すマークを表示することができる。また、記録中の場合には赤色で表示することも考えられる。経過時間１４２３としては、記録媒体の走行時間を時分秒単位で表示することができる。
【００４７】
次にテープ記録媒体におけるＶＩＳＳ信号と再生機器の制御について図面を参照して説明する。
【００４８】
図６（ａ）は、テープ記録媒体上の記録状態を模式的に表した図である。テープ記録媒体には、映像信号を記録するビデオトラック４０以外に、制御信号を記録するコントロールトラック３０がある。コントロールトラック３０上の制御信号は、ビデオトラック４０上の信号の基準位置を示すものであり、通常はテープ記録媒体を走行させるキャプスタンの制御に使用される。このコントロールトラック３０において、制御信号のデューティ比を変化させることによりＶＩＳＳ信号を記録することができる。
【００４９】
図６（ｂ）は、コントロールトラック３０上の制御信号の一部を示す図である。通常の状態における制御信号（通常信号）３１は、デューティ比６２．５％の方形波となっている。一方、ＶＩＳＳ信号３２では、デューティ比２７．５％の方形波となっている。従って、この制御信号３０のデューティ比の変化を検出することにより、図６（ｃ）のようにＶＩＳＳ信号をサーチすることができる。なお、キャプスタンの制御は制御信号３０の立上りエッジにより行われるため、ＶＩＳＳ信号３２によりデューティ比に変化が生じても本来の走行制御には何ら影響を与えることはない。
【００５０】
図７（ａ）は、逆方向ＶＩＳＳサーチ機能の一般的な動作を示す図である。上述のとおり、コントロールトラック３０（図６（ｃ））にはコンテンツの先頭位置にＶＩＳＳ信号３２が記録されており、それ以外の部分には通常信号３１が記録されている。記録媒体上の現在の読取り位置３９において逆方向ＶＩＳＳサーチボタンを押下すると、直前のＶＩＳＳ信号３２が記録されている場所に位置付けられてコンテンツの先頭から再生が行われる。
【００５１】
図７（ｂ）および（ｃ）は、本発明における逆方向ＶＩＳＳサーチ機能の動作を示す図である。本発明では、記録媒体上の現コンテンツの先頭から所定区間３８を定義しておき、この所定区間３８内に現在の読取り位置３９が含まれなければ現コンテンツの先頭に位置付け（図７（ｂ））、所定区間３８内に現在の読取り位置３９が含まれれば現コンテンツのさらに前のコンテンツの先頭に位置付ける（図７（ｃ））。
【００５２】
本発明の実施の形態においては、所定区間３８を定義するために巻き戻し時間を利用する。すなわち、逆方向ＶＩＳＳサーチを行う際に予め所定時間を設定しておき、巻き戻しを開始してから最初のＶＩＳＳ信号３２に到達するまでの時間が所定時間内であれば所定区間３８内に含まれていたものとみなして、さらに一つ前のＶＩＳＳ信号３４へ位置付ける（図７（ｃ））。一方、最初のＶＩＳＳ信号３２に到達するまでの時間が所定時間内でなければ所定区間３８内に含まれていなかったものとみなして、それ以上のＶＩＳＳサーチは行わない（図７（ｂ））。
【００５３】
このような記録媒体の状態の判別は、制御部１１００の状態判別部１１３０（図２）により行われる。状態判別部１１３０は（図示しない）タイマを有し、上述の所定時間を計る。この状態判別部１１３０の構成例としては、一例として、頭出しのためのコマンド発行時のタイマの値を記憶しておき、頭出しが完了した際のタイマの値と比較することにより、所定時間内に頭出しが完了したか否かを判断するようにしてもよい。また、他の一例として、頭出しのためのコマンド発行から所定時間経過後にセットされる（図示しない）タイムフラグを用意しておき、頭出しが完了した際にこのタイムフラグをチェックすることにより所定時間内に頭出しが完了したか否かを判断するようにしてもよい。また、他の一例として、頭出し完了時にセットされる（図示しない）頭出しフラグを用意しておき、頭出しのためのコマンド発行から所定時間経過後に割込みを発生させて、この頭出しフラグをチェックすることにより所定時間内に頭出しが完了したか否かを判断するようにしてもよい。これら各構成例における処理手順については、後述する。
【００５４】
この所定時間は、例えばミリ秒（ｍｓ）を単位として設定することが考えられる。一例として、７５００ｍｓを所定時間とすると、コンテンツの実際の再生時間は（テープ記録媒体の位置によっても異なるが、目安として）およそ１０秒前後に相当する。
【００５５】
次に制御装置１０００から再生機器２０００に対するコマンドならびに再生機器２０００から制御装置１０００へのレスポンスについて図面を参照して説明する。
【００５６】
制御装置１０００と再生機器２０００との間のインタフェースについては種々のものが適用可能であるが、ここではＩＥＥＥ１３９４インタフェースを採用した場合を例として説明する。このＩＥＥＥ１３９４インタフェースでは、電子機器の制御を行うためのプロトコルとしてＦＣＰ（Ｆｕｎｃｔｉｏｎ　Ｃｏｎｔｒｏｌ　Ｐｒｏｔｏｃｏｌ）とよばれるプロトコルが使用される。このＦＣＰプロトコルにおいてＡＶ／Ｃコマンドセットを転送するためには、データフィールドの先頭４ビットを「００００」にすればよい。
【００５７】
図８はＦＣＰプロトコルによるＡＶ／Ｃコマンドフレーム３０１を示す図である。コマンドセット３０１１には４ビットの「００００」が記されており、ＡＶ／Ｃコマンドセットに拠るものであることが示されている。
【００５８】
コマンド／レスポンス３０１２は、そのフレームがコマンドであるかレスポンスであるかを示すものであり、図９のように、コマンドであればその機能分類、レスポンスであればコマンドの処理結果の分類がそれぞれ割り当てられている。すなわち、コマンドには、ターゲットを外部から制御する「ＣＯＮＴＲＯＬ」コマンド、外部から状態を問い合わせる「ＳＴＡＴＵＳ」コマンド、状態の変化を外部に知らせるよう要求する「ＮＯＴＩＦＹ」コマンド、そして制御コマンドのサポートの有無を外部から問い合わせるための「ＧＥＮＥＲＡＬ　ＩＮＱＵＩＲＹ」コマンドおよび「ＳＰＥＣＩＡＬ　ＩＮＱＵＩＲＹ」コマンドがある。本発明の実施の形態では、コマンドとして「ＣＯＮＴＲＯＬ」コマンドを使用する。この「ＣＯＮＴＲＯＬ」コマンドに対するターゲットからのレスポンスとして、コマンドが実行されたことを通知する「ＡＣＣＥＰＴＥＤ」、コマンドが処理中であることを通知する「ＩＮＴＥＲＩＭ」、コマンドが実行できなかったことを通知する「ＲＥＪＥＣＴＥＤ」、コマンドが実装されていないことを通知する「ＮＯＴ　ＩＭＰＬＥＭＥＮＴＥＤ」がある。
【００５９】
サブユニットタイプ３０１３は、コマンドの宛先またはレスポンスの送信元である電子機器の種類を示すものであり、図１０のように、機器毎にコードが割り当てられている。本発明の実施の形態では上述のとおり「テープ記録再生装置サブユニット」の機能を用いる。サブユニット識別子３０１４は、ユニット内に同じ種類のサブユニットが複数存在する場合に各々を識別するためのものである。
【００６０】
オペコード３０１５は命令動作を表すものであり、「テープ記録再生装置サブユニット」については「ＣＯＮＴＲＯＬ」コマンドとして、例えば図１１のようなコマンドが定められている。「ＢＡＣＫＷＡＲＤ」はテープ記録媒体の巻き戻しを指示するコマンド、「ＰＬＡＹ」はテープ記録媒体の再生を指示するコマンド、「ＦＯＲＷＡＲＤ」はテープ記録媒体の先送りを指示するコマンド、「ＲＥＣＯＲＤ」はテープ記録媒体への信号の記録を指示するコマンド、「ＭＡＲＫＥＲ」はテープ記録媒体への目印（ＶＩＳＳ信号等）の記録または消去を指示するコマンドである。オペランド［０］３０１６以降にはオペコード３０１５のコマンド毎に定義されたオペランドが記される。
【００６１】
図１２は制御装置１０００から再生機器２０００に対する「ＢＡＣＫＷＡＲＤ」コマンドフレーム１０２（図１５および図１６）の一例を示すものである。このコマンドフレーム１０２では、コマンドセット１０２１にはＡＶ／Ｃコマンドセットを示す４ビットの「００００」が記されている。コマンド／レスポンス１０２２には「ＣＯＮＴＲＯＬ」コマンドを表す４ビットの「００００」が記されている。サブユニットタイプ１０２３にはテープ記録再生装置サブユニットを表す５ビットの「００１００」が記されている。サブユニット識別子１０２４には、識別子の一例として３ビットの「０００」が記されている。オペコード１０２５には「ＢＡＣＫＷＡＲＤ」コマンドを示す８ビット（１６進数で「５６」）が記されている。オペランド［０］１０２６には位置付ける単位としてＶＩＳＳ信号であることを示す８ビット（１６進数で「０２」）が記されている。オペランド［１］１０２７には１つ目の位置（ＶＩＳＳ信号）であることを示す８ビット（１６進数で「０１」）が記されている。また、オペランド［２］１０２８乃至オペランド［４］１０３０にはそれぞれ規定値の８ビット（１６進数で「ＦＦ」）が記されている。
【００６２】
図１３は再生機器２０００から制御装置１０００への「ＩＮＴＥＲＩＭ」レスポンスフレーム２０１（図１５および図１６）の一例を示すものである。このレスポンスフレーム２０１は、コマンド／レスポンス２０１２が「ＩＮＴＥＲＩＭ」レスポンスであることを示す４ビットの「１１１１」となっていることを除けば、図１２の「ＢＡＣＫＷＡＲＤ」コマンドフレーム１０２と同様のフレーム構成になっている。従って、制御装置１０００は、このレスポンスフレームの内容をチェックすることによって、何れのコマンドフレームに対するレスポンスであるかを認識することができる。
【００６３】
図１４は制御装置１０００から再生機器２０００に対する「ＰＬＡＹ」コマンドフレーム１０３（図１５および図１６）の一例を示すものである。このコマンドフレーム１０３では、コマンドセット１０３１、コマンド／レスポンス１０３２、サブユニットタイプ１０３３およびサブユニット識別子１０３４は、図１２の「ＢＡＣＫＷＡＲＤ」コマンドフレーム１０２のコマンドセット１０２１、コマンド／レスポンス１０２２、サブユニットタイプ１０２３およびサブユニット識別子１０２４と同様の内容になっている。そして、オペコード１０３５には「ＰＬＡＹ」コマンドを示す８ビット（１６進数で「Ｃ３」）が記されている。オペランド［０］１０３６には順方向（ＦＯＲＷＡＲＤ）への再生であることを示す８ビット（１６進数で「７５」）が記されている。
【００６４】
次に本発明の実施の形態による制御装置１０００と再生機器２０００との間におけるコマンドおよびレスポンスのやりとりの流れを図面を参照して説明する。
【００６５】
図１５は記録媒体上の現コンテンツの先頭から所定区間内に現在の読取り位置が含まれない場合（図７（ｂ））のシーケンスチャートである。逆方向ＶＩＳＳサーチボタンが押下１０１されると、制御装置１０００は直前のＶＩＳＳ信号への位置付けを指示する「ＢＡＣＫＷＡＲＤ」コマンドフレーム１０２（図１２）を再生機器２０００に対して発行する。これに応答して、再生機器２０００は処理が開始されたことを示す「ＩＮＴＥＲＩＭ」レスポンスフレーム２０１（図１３）を制御装置１０００に通知する。その後、ＶＩＳＳ信号への位置付けが完了すると、コマンドの実行が完了したことを示す「ＡＣＣＥＰＴＥＤ」レスポンスフレーム２０２を制御装置１０００に通知する。この「ＡＣＣＥＰＴＥＤ」レスポンスフレーム２０２を受けた制御装置１０００は、続いてコンテンツの再生を指示する「ＰＬＡＹ」コマンドフレーム１０３（図１４）を再生機器２０００に対して発行する。これに応答して、再生機器２０００は再生の開始が完了したことを示す「ＡＣＣＥＰＴＥＤ」レスポンスフレーム２０３を制御装置１０００に通知する。この図１５の例では、当初の読取り位置が現コンテンツの先頭から所定区間以降にあると判断１０４され、それ以上のＶＩＳＳサーチは行われない。
【００６６】
図１６は記録媒体上の現コンテンツの先頭から所定区間内に現在の読取り位置が含まれる場合（図７（ｃ））のシーケンスチャートである。再生機器２０００が再生の開始が完了したことを示す「ＡＣＣＥＰＴＥＤ」レスポンスフレーム２０３を制御装置１０００に通知するまでは同様のやりとりを行う。この図１６の例では、当初の読取り位置が現コンテンツの先頭から所定区間内にあると判断１０４されるため、制御装置１０００はさらに一つ前のＶＩＳＳ信号への位置付けを指示する「ＢＡＣＫＷＡＲＤ」コマンドフレーム１０５を再生機器２０００に対して発行する。このコマンドフレーム１０５では、図１２のコマンドフレーム１０２と異なり、オペランド［１］は「ｃｏｕｎｔ＝２」となる。「ＰＬＡＹ」コマンドフレーム１０３による再生が開始されているため、「ｃｏｕｎｔ＝１」とすると再び現コンテンツの先頭に位置付けられてしまうからである。従って、もし「ＰＬＡＹ」コマンドフレーム１０３を発行しない変形例により実施する場合には、このコマンドフレーム１０５のオペランド［１］は「ｃｏｕｎｔ＝１」でよいことになる。
【００６７】
そして、「ＢＡＣＫＷＡＲＤ」コマンドフレーム１０５に応答して、再生機器２０００は処理が開始されたことを示す「ＩＮＴＥＲＩＭ」レスポンスフレーム２０４を制御装置１０００に通知する。その後、ＶＩＳＳ信号への位置付けが完了すると、コマンドの実行が完了したことを示す「ＡＣＣＥＰＴＥＤ」レスポンスフレーム２０５を制御装置１０００に通知する。この「ＡＣＣＥＰＴＥＤ」レスポンスフレーム２０５を受けた制御装置１０００は、続いてコンテンツの再生を指示する「ＰＬＡＹ」コマンドフレーム１０６を再生機器２０００に対して発行する。これに応答して、再生機器２０００は再生の開始が完了したことを示す「ＡＣＣＥＰＴＥＤ」レスポンスフレーム２０６を制御装置１０００に通知する。
【００６８】
次に本発明の実施の形態による制御装置１０００における処理の流れを図面を参照して説明する。
【００６９】
図１７は本発明の実施の形態による制御装置１０００における処理の流れの第１の例を示す図である。この第１の例では、状態判別部１１３０（図２）にタイマを備えて、コンテンツの頭出しに要する時間を計時する。
【００７０】
まず、逆方向ＶＩＳＳサーチボタン１４９（図５）が押下されると（ステップＳ５１０）、タイマの内容が開始時刻として記憶され（ステップＳ５１１）、図１２に示したコマンドフレーム１０２により「ＢＡＣＫＷＡＲＤ」コマンドが再生機器２０００に発行される（ステップＳ５１２）。そして、再生機器２０００において「ＢＡＣＫＷＡＲＤ」コマンドが完了すると（ステップＳ５１３）、図１４に示したコマンドフレーム１０３により「ＰＬＡＹ」コマンドが再生機器２０００に発行される（ステップＳ５１４）。
【００７１】
制御装置１０００では、このときのタイマの内容と記憶していた開始時刻とが比較されて、所定時間内に「ＢＡＣＫＷＡＲＤ」コマンドが完了したか否かが判断される（ステップＳ５１６）。所定時間内に完了していれば、コンテンツの最初の部分に位置付けられていたものとみなされて、以下のステップＳ５１７乃至Ｓ５１９が実行される。すなわち、「ＢＡＣＫＷＡＲＤ」コマンドが再生機器２０００に発行されて（ステップＳ５１７）、この「ＢＡＣＫＷＡＲＤ」コマンドが完了すると（ステップＳ５１８）、「ＰＬＡＹ」コマンドが再生機器２０００に発行される（ステップＳ５１９）。
【００７２】
ステップＳ５１６において、所定時間内に完了していないと判断された場合には、コンテンツの最初の部分に位置付けられていなかったものとみなされて、以上のステップＳ５１７乃至Ｓ５１９は実行されない。
【００７３】
図１８および図１９は本発明の実施の形態による制御装置１０００における処理の流れの第２の例を示す図である。この第２の例では、状態判別部１１３０（図２）にタイマとタイムフラグとを備えて、コンテンツの頭出しに要する時間が所定時間を越えたか否かを表示する。
【００７４】
まず、逆方向ＶＩＳＳサーチボタン１４９（図５）が押下されると（ステップＳ６１０）、所定時間後にタイマ割込みを発生するようタイマが設定されるとともにタイムフラグがＯＦＦにリセットされた後に（ステップＳ６１１）、図１２に示したコマンドフレーム１０２により「ＢＡＣＫＷＡＲＤ」コマンドが再生機器２０００に発行される（ステップＳ６１２）。そして、再生機器２０００において「ＢＡＣＫＷＡＲＤ」コマンドが完了すると（ステップＳ６１３）、図１４に示したコマンドフレーム１０３により「ＰＬＡＹ」コマンドが再生機器２０００に発行される（ステップＳ６１４）。
【００７５】
この間、タイマ割込みが生じると、タイムフラグがＯＮにセットされる（ステップＳ６２０）。このタイマの設定は、再生機器２０００に対する「ＰＬＡＹ」コマンド発行（ステップＳ６１４）の後、解除される（ステップＳ６１５）。そして、このときタイムフラグの内容が判断され（ステップＳ６１６）、タイムフラグがＯＦＦにリセットされたままであれば、コンテンツの最初の部分に位置付けられていたものとみなされて、以下のステップＳ６１７乃至Ｓ６１９が実行される。すなわち、「ＢＡＣＫＷＡＲＤ」コマンドが再生機器２０００に発行されて（ステップＳ６１７）、この「ＢＡＣＫＷＡＲＤ」コマンドが完了すると（ステップＳ６１８）、「ＰＬＡＹ」コマンドが再生機器２０００に発行される（ステップＳ６１９）。
【００７６】
ステップＳ６１６において、タイムフラグがＯＮにセットされていると判断された場合には、コンテンツの最初の部分に位置付けられていなかったものとみなされて、以上のステップＳ６１７乃至Ｓ６１９は実行されない。
【００７７】
図２０および図２１は本発明の実施の形態による制御装置１０００における処理の流れの第３の例を示す図である。この第３の例では、状態判別部１１３０（図２）にタイマと頭出しフラグとを備えて、コンテンツの頭出し開始から所定時間経過後に頭出しが完了しているか否かを表示する。
【００７８】
まず、逆方向ＶＩＳＳサーチボタン１４９（図５）が押下されると（ステップＳ７１０）、所定時間後にタイマ割込みを発生するようタイマが設定されるとともに頭出しフラグがＯＦＦにリセットされた後に（ステップＳ７１１）、図１２に示したコマンドフレーム１０２により「ＢＡＣＫＷＡＲＤ」コマンドが再生機器２０００に発行される（ステップＳ７１２）。そして、再生機器２０００において「ＢＡＣＫＷＡＲＤ」コマンドが完了すると（ステップＳ７１３）、頭出しフラグがＯＮにセットされ（ステップＳ７２０）、図１４に示したコマンドフレーム１０３により「ＰＬＡＹ」コマンドが再生機器２０００に発行される（ステップＳ７１４）。
【００７９】
この間、タイマ割込みが生じると、頭出しフラグの内容が判断され（ステップＳ７１６）、頭出しフラグがＯＮにセットされていれば、コンテンツの最初の部分に位置付けられていたものとみなされて、以下のステップＳ７１７乃至Ｓ７１９が実行される。すなわち、「ＢＡＣＫＷＡＲＤ」コマンドが再生機器２０００に発行されて（ステップＳ７１７）、この「ＢＡＣＫＷＡＲＤ」コマンドが完了すると（ステップＳ７１８）、「ＰＬＡＹ」コマンドが再生機器２０００に発行される（ステップＳ７１９）。
【００８０】
ステップＳ７１６において、頭出しフラグがＯＦＦにリセットされたままであると判断された場合には、コンテンツの最初の部分に位置付けられていなかったものとみなされて、以上のステップＳ７１７乃至Ｓ７１９は実行されずに元の処理に戻される。
【００８１】
このように、本発明の実施の形態によれば、制御装置１０００のコマンド発行部１１１０から再生機器２０００に対してコンテンツの頭出しのためのコマンドを発行する際の記録媒体の状態を状態判別部１１３０により判別することにより、現コンテンツの先頭から所定区間内であれば現コンテンツの頭出しを行い、現コンテンツの先頭から所定区間内でなければ一つ前のコンテンツの頭出しを行うよう制御することができる。すなわち、ＶＩＳＳサーチボタンの押下回数をバッファリングすることなく、適切なコンテンツの先頭に頭出しを行うことができる。
【００８２】
なお、本発明の実施の形態においては、制御装置１０００と再生機器２０００との間のインタフェース３０００としてＩＥＥＥ１３９４インタフェースを例に挙げて説明したが、本発明はこれに限られることなく再生機器の制御に供する種々のインタフェースに適用できる。
【００８３】
また、本発明の実施の形態においては、「ＢＡＣＫＷＡＲＤ」コマンドの完了後に連続して「ＰＬＡＹ」コマンドを発行しているが、この「ＰＬＡＹ」コマンドの発行を連続して行わないようにしてもよい。但し、この場合、２回目の「ＢＡＣＫＷＡＲＤ」コマンドフレーム１０５（図１６）の発行の際には、オペランド［１］は「ｃｏｕｎｔ＝２」ではなく、「ｃｏｕｎｔ＝１」でよいことになる。
【００８４】
また、ここでは本発明の実施の形態を例示したものであり、本発明はこれに限られず、本発明の要旨を逸脱しない範囲において種々の変形を施すことができる。また、ここで説明した処理手順はこれら一連の手順を有する方法として捉えてもよく、これら一連の手順をコンピュータに実行させるためのプログラム乃至そのプログラムを記憶する記憶媒体として捉えてもよい。
【００８５】
【発明の効果】
以上の説明で明らかなように、本発明によると、コンテンツの頭出しのためのコマンドを発行する際の再生機器における記録媒体の状態を判別することにより、適切なコンテンツの頭出しを行うよう制御することができるという効果が得られる。
【図面の簡単な説明】
【図１】本発明による再生機器制御システムの実施の形態の構成を示すブロック図である。
【図２】本発明の実施の形態における制御装置１０００と再生機器２０００との間の接続部分を示す図である。
【図３】本発明の実施の形態における制御装置１０００の一例としてのデジタル放送受信機１００の構成を示すブロック図である。
【図４】本発明の実施の形態におけるリモコン１５０の外観の一例を示す図である。
【図５】本発明の実施の形態においてディスプレイ１４０上に表示される操作画面１４の一例を示す図である。
【図６】テープ記録媒体の論理構造および記録信号を示す図である。
【図７】テープ記録媒体におけるＶＩＳＳサーチの動作概略を示す図である。
【図８】本発明の実施の形態におけるインタフェースの一例として使用されるＡＶ／Ｃコマンドのフレーム構成を示す図である。
【図９】ＡＶ／Ｃコマンドにおけるコマンド／レスポンスの一覧を示す図である。
【図１０】ＡＶ／Ｃコマンドにおけるサブユニットタイプの一覧を示す図である。
【図１１】ＡＶ／Ｃコマンドのテープ記録再生装置サブユニットで定義されるコマンドの一覧を示す図である。
【図１２】本発明の実施の形態における「ＢＡＣＫＷＡＲＤ」コマンドのフレーム構成を示す図である。
【図１３】本発明の実施の形態における「ＩＮＴＥＲＩＭ」レスポンスのフレーム構成を示す図である。
【図１４】本発明の実施の形態における「ＰＬＡＹ」コマンドのフレーム構成を示す図である。
【図１５】本発明の実施の形態による制御装置１０００と再生機器２０００との間のやりとりの一例を示すシーケンスチャートである。
【図１６】本発明の実施の形態による制御装置１０００と再生機器２０００との間のやりとりの他の例を示すシーケンスチャートである。
【図１７】本発明の実施の形態による制御装置１０００の動作の第１の例を示すフローチャートである。
【図１８】本発明の実施の形態による制御装置１０００の動作の第２の例を示すフローチャートの一つ目である。
【図１９】本発明の実施の形態による制御装置１０００の動作の第２の例を示すフローチャートの二つ目である。
【図２０】本発明の実施の形態による制御装置１０００の動作の第３の例を示すフローチャートの一つ目である。
【図２１】本発明の実施の形態による制御装置１０００の動作の第３の例を示すフローチャートの二つ目である。
【符号の説明】
１４　操作画面
３０　コントロールトラック
３１、３３　通常信号
３２、３４　ＶＩＳＳ信号
３８　所定区間
３９　現在の読取り位置
４０　ビデオトラック
１００　デジタル放送受信機
１０９　アンテナ
１１０　制御部
１１１　チューナ
１１２　デスクランブラ
１１３　分離器
１１４　音声復号器
１１５　映像合成器
１１６　映像復号器
１１７　メモリ
１１８　受光部
１１９　制御信号線
１２０　機器接続部
１３０　スピーカ
１４０　ディスプレイ
１５０　リモコン
２１０〜２３０　電子機器
１０００　制御装置
１１００　制御部
１１１０　コマンド発行部
１１２０　操作受信部
１１３０　状態判別部
１２００　機器接続部
２０００　再生機器
３０００　インタフェース
【図１】
2004095086.tif 000003
【図２】
2004095086.tif 000004
【図３】
2004095086.tif 000005
【図４】
2004095086.tif 000006
【図５】
2004095086.tif 000007
【図６】
2004095086.tif 000008
【図７】
2004095086.tif 000009
【図８】
2004095086.tif 000010
【図９】
2004095086.tif 000011
【図１０】
2004095086.tif 000012
【図１１】
2004095086.tif 000013
【図１２】
2004095086.tif 000014
【図１３】
2004095086.tif 000015
【図１４】
2004095086.tif 000016
【図１５】
2004095086.tif 000017
【図１６】
2004095086.tif 000018
【図１７】
2004095086.tif 000019
【図１８】
2004095086.tif 000020
【図１９】
2004095086.tif 000021
【図２０】
2004095086.tif 000022
【図２１】
2004095086.tif 000023